(57)【要約】【課題】回路基板に固定されたベースコネクタを受け入れるソケットコネクタにおいて、ベースコネクタの挿入過程においてベースコネクタを回転させてもコネクタの変形などが発生しにくいソケットコネクタを提供すること。【解決手段】回路基板７８に固定されたベースコネクタ７０を受け入れると共に側壁３０を備えるソケットコネクタ１０であって、側壁３０は、ベースコネクタ７０の当たりを逃がす側壁当たり逃げ部３２を有し、側壁当たり逃げ部３２は、ベースコネクタ７０が側壁当たり逃げ部３２を介して側壁３０の外側に配置された状態で、ベースコネクタ７０がソケットコネクタ１０に受け入れ可能に設けられる。【選択図】図５
2014207210.tif 000002
【特許請求の範囲】
【請求項１】
回路基板に固定されたベースコネクタを受け入れると共に側壁を備えるソケットコネクタであって、
前記側壁は、前記ベースコネクタの当たりを逃がす側壁当たり逃げ部を有し、
前記側壁当たり逃げ部は、前記ベースコネクタが前記側壁当たり逃げ部を介して前記側壁の外側に配置された状態で、前記ベースコネクタが前記ソケットコネクタに受け入れ可能に設けられる
ソケットコネクタ。
【請求項２】
前記ベースコネクタを前記ソケットコネクタに受け入れる方向を受け入れ方向と定義し、前記受け入れ方向及び前記ソケットコネクタの厚み方向と直交する方向を幅方向と定義し、前記ベースコネクタが前記ソケットコネクタに受け入れられた状態を受け入れ状態と定義した場合に、
前記側壁当たり逃げ部を有する前記側壁は、前記幅方向に一対設けられ、
前記受け入れ状態において、前記ベースコネクタは、一対の前記側壁それぞれの前記側壁当たり逃げ部を介して一対の前記側壁それぞれの外側に配置される
請求項１に記載のソケットコネクタ。
【請求項３】
前記ベースコネクタを前記ソケットコネクタに受け入れる方向を受け入れ方向と定義し、前記受け入れ方向及び前記ソケットコネクタの厚み方向と直交する方向を幅方向と定義し、前記ベースコネクタが前記ソケットコネクタに受け入れられた状態を受け入れ状態と定義した場合に、
前記ソケットコネクタは、位置決め突部を備え、
前記ベースコネクタは、前記位置決め突部に対応して切り欠かれた位置決め切り欠き部を備え、
前記受け入れ状態において、前記位置決め突部は、前記位置決め切り欠き部に係合することにより前記ソケットコネクタに対して前記ベースコネクタを前記幅方向に位置決め可能である
請求項１又は２に記載のソケットコネクタ。
【請求項４】
前記ソケットコネクタは、ソケット側コンタクトを備え、
前記ベースコネクタは、ベース側コンタクトを備え、
前記ベースコネクタが前記ソケットコネクタに受け入れられた状態において、前記ソケット側コンタクトと前記ベース側コンタクトとは、前記ソケットコネクタの厚み方向に一方が他方を挟み込む形状を有する
請求項１〜３のいずれかに記載のソケットコネクタ。
【請求項５】
前記ベースコネクタが前記ソケットコネクタに受け入れられた受け入れ状態において、前記ベースコネクタ又は前記ベースコネクタが固定された前記回路基板に係合し、前記受け入れ状態を保持する基板係合部を備える
請求項１〜４のいずれかに記載のソケットコネクタ。
【請求項６】
前記ベースコネクタが前記ソケットコネクタに受け入れられた受け入れ状態において、前記ソケットコネクタの厚み方向に視て前記ベースコネクタ及び前記ベースコネクタが固定された前記回路基板に重ならない位置に、前記基板係合部が前記回路基板を係合した状態を解除するための解除押圧部を備える
請求項５に記載のソケットコネクタ。
【請求項７】
前記ベースコネクタを前記ソケットコネクタに受け入れる方向を受け入れ方向と定義し、前記受け入れ方向及び前記ソケットコネクタの厚み方向と直交する方向を幅方向と定義した場合に、
前記受け入れ状態において、前記解除押圧部は、前記ベースコネクタが固定された前記回路基板の端部よりも前記受け入れ方向又は前記幅方向に沿って外側に配置される
請求項６に記載のソケットコネクタ。
【発明の詳細な説明】
【技術分野】
【０００１】
本発明は、回路基板に固定されたベースコネクタを受け入れるソケットコネクタに関する。
【背景技術】
【０００２】
従来より、回路基板に固定されたベースコネクタと、ソケットコネクタとからなるコネクタ対（以下「ソケット−ベースコネクタ対」ともいう）が知られている（例えば、下記特許文献１参照）。また、ソケット−ベースコネクタ対においては、ベースコネクタをソケットコネクタに受け入れさせることで、両コネクタは接続される。狭いスペースにソケットコネクタが配置されている場合、ベースコネクタの挿入過程においてベースコネクタを回転させることができれば、挿入作業が行いやすくなることがある。
しかし、ベースコネクタの挿入過程においてベースコネクタを回転させると、コネクタの変形などが発生しやすい。
【先行技術文献】
【特許文献】
【０００３】
【特許文献１】特開２００５−１３５７２０号公報
【発明の概要】
【発明が解決しようとする課題】
【０００４】
従って、回路基板に固定されたベースコネクタを受け入れるソケットコネクタにおいて、ベースコネクタの挿入過程においてベースコネクタを回転させてもコネクタの変形などが発生しにくいソケットコネクタを提供することを目的とする。
【課題を解決するための手段】
【０００５】
本発明は、回路基板に固定されたベースコネクタを受け入れると共に側壁を備えるソケットコネクタであって、前記側壁は、前記ベースコネクタの当たりを逃がす側壁当たり逃げ部を有し、前記側壁当たり逃げ部は、前記ベースコネクタが前記側壁当たり逃げ部を介して前記側壁の外側に配置された状態で、前記ベースコネクタが前記ソケットコネクタに受け入れ可能に設けられるソケットコネクタに関する。
【０００６】
また、前記ベースコネクタを前記ソケットコネクタに受け入れる方向を受け入れ方向と定義し、前記受け入れ方向及び前記ソケットコネクタの厚み方向と直交する方向を幅方向と定義し、前記ベースコネクタが前記ソケットコネクタに受け入れられた状態を受け入れ状態と定義した場合に、前記側壁当たり逃げ部を有する前記側壁は、前記幅方向に一対設けられ、前記受け入れ状態において、前記ベースコネクタは、一対の前記側壁それぞれの前記側壁当たり逃げ部を介して一対の前記側壁それぞれの外側に配置されることが好ましい。
【０００７】
また、前記ベースコネクタを前記ソケットコネクタに受け入れる方向を受け入れ方向と定義し、前記受け入れ方向及び前記ソケットコネクタの厚み方向と直交する方向を幅方向と定義し、前記ベースコネクタが前記ソケットコネクタに受け入れられた状態を受け入れ状態と定義した場合に、前記ソケットコネクタは、位置決め突部を備え、前記ベースコネクタは、前記位置決め突部に対応して切り欠かれた位置決め切り欠き部を備え、前記受け入れ状態において、前記位置決め突部は、前記位置決め切り欠き部に係合することにより前記ソケットコネクタに対して前記ベースコネクタを前記幅方向に位置決め可能であることが好ましい。
【０００８】
また、前記ソケットコネクタは、ソケット側コンタクトを備え、前記ベースコネクタは、ベース側コンタクトを備え、前記ベースコネクタが前記ソケットコネクタに受け入れられた状態において、前記ソケット側コンタクトと前記ベース側コンタクトとは、前記ソケットコネクタの厚み方向に一方が他方を挟み込む形状を有することが好ましい。
【０００９】
また、前記ベースコネクタが前記ソケットコネクタに受け入れられた受け入れ状態において、前記ベースコネクタ又は前記ベースコネクタが固定された前記回路基板に係合し、前記受け入れ状態を保持する基板係合部を備えることが好ましい。
【００１０】
また、前記ベースコネクタが前記ソケットコネクタに受け入れられた受け入れ状態において、前記ソケットコネクタの厚み方向に視て前記ベースコネクタ及び前記ベースコネクタが固定された前記回路基板に重ならない位置に、前記基板係合部が前記回路基板を係合した状態を解除するための解除押圧部を備えることが好ましい。
【００１１】
また、前記ベースコネクタを前記ソケットコネクタに受け入れる方向を受け入れ方向と定義し、前記受け入れ方向及び前記ソケットコネクタの厚み方向と直交する方向を幅方向と定義した場合に、前記受け入れ状態において、前記解除押圧部は、前記ベースコネクタが固定された前記回路基板の端部よりも前記受け入れ方向又は前記幅方向に沿って外側に配置されることが好ましい。
【発明の効果】
【００１２】
本発明によれば、回路基板に固定されたベースコネクタを受け入れるソケットコネクタにおいて、ベースコネクタの挿入過程においてベースコネクタを回転させてもコネクタの変形などが発生しにくいソケットコネクタを提供することができる。
【図面の簡単な説明】
【００１３】
【図１】本発明の第１実施形態のソケットコネクタ１０を示す斜視図である。
【図２】第１実施形態における回路基板７８に固定されたベースコネクタ７０を示す斜視図である。
【図３】第１実施形態においてベースコネクタ７０をソケットコネクタ１０に挿入する過程を示す斜視図である。
【図４】図３に示す状態から挿入が進んだ状態を示す斜視図である。
【図５】第１実施形態においてベースコネクタ７０がソケットコネクタ１０に受け入れられた状態を示す斜視図である。
【図６】図５についてＡ−Ａ線で切断した縦断面図である。
【図７】本発明の第２実施形態のソケットコネクタ１１０を示す斜視図である。
【図８】第２実施形態における回路基板１７８に固定されたベースコネクタ１７０を示す斜視図である。
【図９】第２実施形態においてベースコネクタ１７０をソケットコネクタ１１０に挿入する過程を示す斜視図である。
【図１０】図９に示す状態から挿入が進んだ状態を示す斜視図である。
【図１１】第２実施形態においてベースコネクタ１７０がソケットコネクタ１１０に受け入れられた状態を示す斜視図である。
【図１２】図１１についてＢ−Ｂ線で切断した縦断面図である。
【図１３】本発明の第３実施形態のソケットコネクタ２１０を示す斜視図である。
【図１４】第３実施形態における回路基板２７８に固定されたベースコネクタ２７０を示す斜視図である。
【図１５】第３実施形態においてベースコネクタ２７０をソケットコネクタ２１０に挿入する過程を示す斜視図である。
【図１６】図１５に示す状態から挿入が進んだ状態を示す斜視図である。
【図１７】第３実施形態においてベースコネクタ２７０がソケットコネクタ２１０に受け入れられた状態を示す斜視図である。
【図１８】図１７についてＣ−Ｃ線で切断した縦断面図である。
【図１９】本発明の第４実施形態のソケットコネクタ３１０を示す斜視図である。
【図２０】第４実施形態におけるベースコネクタ３７０を示す斜視図である。
【図２１】第４実施形態において、ベースハウジング３８０を仮想的に除いた状態のベースコネクタ３７０を、ソケットコネクタ３１０に挿入する過程を示す斜視図である。
【図２２】図２１に示す状態から挿入が進んだ状態を示す斜視図である。
【図２３】第４実施形態において、ベースハウジング３８０を仮想的に除いた状態のベースコネクタ３７０が、ソケットコネクタ３１０に受け入れられた状態を示す斜視図である。
【図２４】図２３についてＤ−Ｄ線で切断した縦断面図である。
【発明を実施するための形態】
【００１４】
〔第１実施形態〕
以下に、本発明のソケットコネクタの第１実施形態について、図面を参照しながら説明する。図１は、本発明の第１実施形態のソケットコネクタ１０を示す斜視図である。図２は、第１実施形態における回路基板７８に固定されたベースコネクタ７０を示す斜視図である。図３は、第１実施形態においてベースコネクタ７０をソケットコネクタ１０に挿入する過程を示す斜視図である。図４は、図３に示す状態から挿入が進んだ状態を示す斜視図である。図５は、第１実施形態においてベースコネクタ７０がソケットコネクタ１０に受け入れられた状態を示す斜視図である。図６は、図５についてＡ−Ａ線で切断した縦断面図である。
【００１５】
図１に示すように、第１実施形態のソケットコネクタ１０は、ソケットハウジング２０と、ソケット側コンタクト６０とを主体として構成される。図２〜図６に示すように、第１実施形態のソケットコネクタ１０は、回路基板７８に固定されたベースコネクタ７０を受け入れ可能であり、ベースコネクタ７０と組み合わせされて使用される。
【００１６】
なお、以下の説明において、ベースコネクタ７０をソケットコネクタ１０に受け入れる方向を「受け入れ方向Ｄ１１」と定義し、受け入れ方向Ｄ１１及びソケットコネクタ１０の厚み方向Ｄ２と直交する方向を「幅方向Ｄ３」と定義し、「受け入れ方向Ｄ１１」の反対方向を「外し方向Ｄ１２」と定義する。「受け入れ方向Ｄ１１」及び「外し方向Ｄ１２」を併せて「奥行き方向Ｄ１」と定義する。「厚み方向Ｄ２」のうちソケットコネクタ１０の底部に向かう方向を「下方向Ｄ２１」と定義し、「下方向Ｄ２１」とは反対方向を「上方向Ｄ２２」と定義する。
また、ベースコネクタ７０がソケットコネクタ１０に受け入れられた状態（図５〜図６参照）を「受け入れ状態」と定義する。
【００１７】
第１実施形態のソケットコネクタ１０の構成について、図１を参照しながら説明する。
図１に示すように、第１実施形態のソケットコネクタ１０は、合成樹脂からなるソケットハウジング２０と、金属製のソケット側コンタクト６０とを備える。
ソケットハウジング２０は、底基部２１と、コンタクト収容部２２と、上壁部２４と、側壁３０と、位置決め突部３４と、ロックアーム４０と、を備える。
【００１８】
底基部２１は、ソケットハウジング２０の底部を形成する板状の部位である。コンタクト収容部２２は、その内部にソケット側コンタクト６０を収容する部位である。コンタクト収容部２２における外し方向Ｄ１２の側の面には、コンタクト窓部２３が設けられている。コンタクト窓部２３を介して、コンタクト収容部２２に収容されているソケット側コンタクト６０の先端接触部６１（後述）は、外部へ露出する。上壁部２４は、コンタクト収容部２２の上部を形成する。
【００１９】
側壁３０は、ソケットハウジング２０の側部を形成するもので、幅方向Ｄ３に一対設けられている。一対の側壁３０は、受け入れ状態においてベースコネクタ７０の当たりを逃がす側壁当たり逃げ部３２を、一対有している。
側壁当たり逃げ部３２は、底基部２１と上壁部２４との間に設けられる。底基部２１と上壁部２４との間は、外し方向Ｄ１２において開放している。つまり、コンタクト収容部２２よりも外し方向Ｄ１２も側であって底基部２１と上壁部２４との間は、幅方向Ｄ３の両側（側壁当たり逃げ部３２）及び外し方向Ｄ１２に亘って、開放している。
そのため、側壁当たり逃げ部３２は、後述するように、ベースコネクタ７０が一対の側壁当たり逃げ部３２それぞれを介して、一対の側壁３０それぞれの外側に配置された状態で、ベースコネクタ７０がソケットコネクタ１０に受け入れ可能に設けられている。
【００２０】
位置決め突部３４は、コンタクト収容部２２よりも外し方向Ｄ１２側であって上壁部２４の下部に設けられている。位置決め突部３４は、下方向Ｄ２１に突出している。位置決め突部３４は、受け入れ状態においてベースコネクタ７０の位置決め切り欠き部７５（後述）に係合することによりソケットコネクタ１０に対してベースコネクタ７０を幅方向Ｄ３に位置決め可能である。ここでいう「位置決め」には、受け入れ状態において固定される場合と、固定されないが幅方向Ｄ３の移動範囲が規制される場合とが含まれる。
【００２１】
ロックアーム４０は、ソケットハウジング２０の上方向Ｄ２２の側の外面に連結されている。
ロックアーム４０は、外し方向Ｄ１２に延びるフック部４１と、受け入れ方向Ｄ１１に延びる力点部４２と、フック部４１と力点部４２との間に位置し且つソケットハウジング２０の外面に連結される支点部４３と、を備える。ロックアーム４０は、支点部４３を中心にフック部４１及び力点部４２が回動可能に、構成されている。詳述すると、フック部４１及び力点部４２は、支点部４３を支点として幅方向Ｄ３に沿う回動軸を中心に、所定角度の範囲で回動自在になっている。ロックアーム４０が回動すると、元の状態に戻るように回動する付勢力が生じる。
【００２２】
フック部４１は、全体視で板状であり、その先端部（外し方向Ｄ１２の側の端部）には、下方向Ｄ２１に突出する基板係合部３６が設けられている。基板係合部３６は、受け入れ状態においてベースコネクタ７０に係合し、受け入れ状態を保持する。力点部４２は、全体視で板状であり、その先端部（受け入れ方向Ｄ１１の側の端部）には、解除押圧部３８が設けられる。
【００２３】
解除押圧部３８は、ロックアーム４０（基板係合部３６）がベースコネクタ７０をロック（係合）した状態を解除するために力点部４２を指などで押す際の押しやすさを向上させるために設けられている。図５に示すように、解除押圧部３８は、受け入れ状態において、ソケットコネクタ１０の厚み方向Ｄ２に視てベースコネクタ７０及びベースコネクタ７０が固定された回路基板７８に重ならない位置に設けられる。第１実施形態においては、解除押圧部３８は、ベースコネクタ７０及び回路基板７８よりも受け入れ方向Ｄ１１（奥行き方向Ｄ１）に沿って外側に配置される。
【００２４】
ソケット側コンタクト６０は、例えば、導電性の金属板に打ち抜き加工、プレス成形加工などが施されて、所定形状の一体物として構成される。ソケット側コンタクト６０は、先端接触部６１を備える。先端接触部６１は、厚み方向Ｄ２に一対設けられており、受け入れ状態において、ベースコネクタ７０のベース側コンタクト９０に機械的に且つ電気的に接続される。
【００２５】
次に、第１実施形態のソケットコネクタ１０と組み合わされて使用される、回路基板７８に固定されたベースコネクタ７０について、図２を参照しながら説明する。図２に示すように、ベースコネクタ７０は、回路基板７８に固定されるコネクタである。ベースコネクタ７０は、合成樹脂からなるベースハウジング８０と、金属製のベース側コンタクト９０と、位置決め切り欠き部７５とを備える。
【００２６】
回路基板７８は、その実装面７８ａに厚み方向Ｄ２に刳り抜かれたコネクタ設置部７８ｂ（図６参照）を有する。ベースコネクタ７０は、コネクタ設置部７８ｂに配置されており、そのため、ベースコネクタ７０が回路基板７８に固定（実装）された状態において、回路基板７８及びベースコネクタ７０の全体としての低背化が実現されている。
【００２７】
ベースハウジング８０は、ベース側コンタクト９０を配置するコンタクト配置部８１と、上方向Ｄ２２に突出する係合突部８２と、を備える。
ベース側コンタクト９０は、ベースハウジング８０のコンタクト配置部８１に、受け入れ方向Ｄ１１の側に露出して配置される。
【００２８】
ソケット側コンタクト６０とベース側コンタクト９０とは、ソケットコネクタ１０の厚み方向Ｄ２に一方が他方を挟み込む形状を有する。第１実施形態においては、ソケット側コンタクト６０は、ベース側コンタクト９０をソケットコネクタ１０の厚み方向Ｄ２に挟み込む形状を有する。そのため、ベース側コンタクト９０は、受け入れ状態においてソケットコネクタ１０のソケット側コンタクト６０と機械的に且つ電気的に接続される。
【００２９】
位置決め切り欠き部７５は、ソケットコネクタ１０の位置決め突部３４に対応して切り欠かれている。受け入れ状態において、位置決め切り欠き部７５は、位置決め突部３４に係合する。
【００３０】
前述の構成を有するソケットコネクタ１０とベースコネクタ７０とは、図３〜図６に示すように組み合わされ、ソケット−ベースコネクタ対が形成される。
図３に示すように、ソケットコネクタ１０のソケット側コンタクト６０とベースコネクタ７０のベース側コンタクト９０とを対向させる。また、ソケットコネクタ１０の位置決め突部３４とベースコネクタ７０の位置決め切り欠き部７５とを対向させる。
【００３１】
図４〜図６に示すように、ソケットコネクタ１０とベースコネクタ７０とを奥行き方向Ｄ１に相対的に接近させる。その過程においてロックアーム４０のフック部４１の基板係合部３６は、ベースハウジング８０の係合突部８２を乗り越える。そして、ソケット側コンタクト６０とベース側コンタクト９０とは、機械的に且つ電気的に接続される。また、基板係合部３６は、ベースハウジング８０の係合突部８２に係合する。ソケットコネクタ１０の位置決め突部３４は、ベースコネクタ７０の位置決め切り欠き部７５に位置する。
【００３２】
その結果、ソケットコネクタ１０とベースコネクタ７０とが機械的に且つ電気的に接続された状態は保持される。ここで、ベースコネクタ７０及び回路基板７８は、ソケットコネクタ１０の側壁当たり逃げ部３２を介して、両側壁３０それぞれから幅方向Ｄ３の外側に配置される。また、位置決め突部３４は、位置決め切り欠き部７５に係合することによりソケットコネクタ１０に対してベースコネクタ７０を幅方向Ｄ３に位置決めしている。
【００３３】
以上の構成を有する第１実施形態のソケットコネクタ１０によれば、以下の効果が奏される。
第１実施形態のソケットコネクタ１０においては、側壁３０は、ベースコネクタ７０の当たりを逃がす側壁当たり逃げ部３２を有し、側壁当たり逃げ部３２は、ベースコネクタ７０が側壁当たり逃げ部３２を介して側壁３０の外側に配置された状態で、ベースコネクタ７０がソケットコネクタ１０に受け入れ可能に設けられる。
そのため、第１実施形態によれば、ソケットコネクタ１０へのベースコネクタ７０の挿入過程においてベースコネクタ７０を回転させても、ベースコネクタ７０及び回路基板７８は、ソケットコネクタ１０に接触しにくい。従って、コネクタの変形などが発生しにくい。
【００３４】
また、第１実施形態においては、受け入れ状態において、位置決め突部３４は、位置決め切り欠き部７５に係合することによりソケットコネクタ１０に対してベースコネクタ７０を幅方向Ｄ３に位置決め可能である。そのため、第１実施形態によれば、受け入れ状態において、ソケットコネクタ１０とベースコネクタ７０とは幅方向Ｄ３に位置決めされる。
【００３５】
また、第１実施形態においては、受け入れ状態において、ソケット側コンタクト６０とベース側コンタクト９０とは、ソケットコネクタ１０の厚み方向Ｄ２に一方が他方を挟み込む形状を有する。そのため、第１実施形態によれば、受け入れ状態において、ソケット側コンタクト６０とベース側コンタクト９０とは、強固に接続される。
【００３６】
また、第１実施形態は、受け入れ状態において、ベースコネクタ７０が固定された回路基板７８に係合し、受け入れ状態を保持する基板係合部３６を備える。そのため、第１実施形態によれば、受け入れ状態において、ソケットコネクタ１０とベースコネクタ７０とは、強固に保持される。
【００３７】
また、第１実施形態は、受け入れ状態において、ソケットコネクタ１０の厚み方向Ｄ２に視てベースコネクタ７０及びベースコネクタ７０が固定された回路基板７８に重ならない位置に、基板係合部３６が回路基板７８を係合した状態を解除するための解除押圧部３８を備える。そのため、第１実施形態によれば、回路基板７８が邪魔になりにくい位置にある解除押圧部３８を押圧することで、基板係合部３６が回路基板７８を係合した状態を容易に解除することができる。
【００３８】
また、第１実施形態においては、受け入れ状態において、解除押圧部３８は、ベースコネクタ７０が固定された回路基板７８の端部よりも受け入れ方向Ｄ１に沿って外側に配置される。そのため、第１実施形態によれば、解除押圧部３８は、回路基板７８が邪魔になりにくい。
【００３９】
次に、本発明の他の実施形態（第２〜第４実施形態）について説明する。他の実施形態については、主として、第１実施形態とは異なる点を説明する。第２〜第４実施形態それぞれにおいて第１実施形態と同様の構成については、下二桁に同じ符号を付し、百の位にそれぞれ「１」、「２」及び「３」を付して、詳細な説明を省略する。他の実施形態について特に説明しない点については、第１実施形態についての説明が適宜適用される。他の実施形態においても、第１実施形態と同様の効果が奏される。
【００４０】
〔第２実施形態〕
次に、本発明のソケットコネクタの第２実施形態について、図面を参照しながら説明する。図６は、本発明の第２実施形態のソケットコネクタ１１０を示す斜視図である。図８は、第２実施形態における回路基板１７８に固定されたベースコネクタ１７０を示す斜視図である。図９は、第２実施形態においてベースコネクタ１７０をソケットコネクタ１１０に挿入する過程を示す斜視図である。図１０は、図９に示す状態から挿入が進んだ状態を示す斜視図である。図１１は、第２実施形態においてベースコネクタ１７０がソケットコネクタ１１０に受け入れられた状態を示す斜視図である。図１２は、図１１についてＢ−Ｂ線で切断した縦断面図である。
【００４１】
図７に示すように、第２実施形態のソケットコネクタ１１０は、ソケットハウジング１２０と、ソケット側コンタクト１６０とを主体として構成される。図８〜図１２に示すように、第２実施形態のソケットコネクタ１１０は、回路基板１７８に固定されたベースコネクタ１７０を受け入れ可能であり、ベースコネクタ１７０と組み合わせされて使用される。
【００４２】
第２実施形態のソケットコネクタ１１０の構成について、図７を参照しながら説明する。
図７に示すように、第２実施形態のソケットコネクタ１１０は、合成樹脂からなるソケットハウジング１２０と、金属製のソケット側コンタクト１６０とを備える。
ソケットハウジング１２０は、底基部２１と、コンタクト収容部１２２と、上壁部１２４と、側壁１３０と、位置決め突部１３４（図９参照）と、を備える。
【００４３】
底基部１２１は、ソケットハウジング１２０の底部を形成する板状の部位であり、第１底基部１２１ａと第２底基部１２１ｂとを有する。第１底基部１２１ａと第２底基部１２１ｂとは、幅方向Ｄ３に分離して、並列している。
コンタクト収容部１２２は、その内部にソケット側コンタクト１６０を収容する部位である。コンタクト収容部１２２における外し方向Ｄ１２の側の面には、コンタクト窓部１２３（図１２参照）が設けられている。コンタクト窓部１２３を介して、コンタクト収容部１２２に収容されているソケット側コンタクト１６０の先端接触部１６１（後述）は、外部へ露出する。上壁部１２４は、コンタクト収容部１２２の上部を形成する。
【００４４】
側壁１３０は、ソケットハウジング１２０の側部を形成するもので、幅方向Ｄ３に一対設けられている。一対の側壁１３０は、受け入れ状態においてベースコネクタ１７０の当たりを逃がす側壁当たり逃げ部１３２を、一対有している。
側壁当たり逃げ部１３２は、底基部１２１と上壁部１２４との間に設けられる。底基部１２１と上壁部１２４との間は、外し方向Ｄ１２において開放している。つまり、コンタクト収容部１２２よりも外し方向Ｄ１２も側であって底基部１２１と上壁部１２４との間は、幅方向Ｄ３の両側（側壁当たり逃げ部１３２）及び外し方向Ｄ１２に亘って、開放している。
そのため、側壁当たり逃げ部１３２は、後述するように、ベースコネクタ１７０が一対の側壁当たり逃げ部１３２それぞれを介して、一対の側壁１３０それぞれの外側に配置された状態で、ベースコネクタ１７０がソケットコネクタ１１０に受け入れ可能に設けられている。
【００４５】
図９に示すように、位置決め突部１３４は、コンタクト収容部１２２よりも外し方向Ｄ１２側であって上壁部１２４の下部に設けられている。位置決め突部１３４は、下方向Ｄ２１に突出している。位置決め突部１３４は、受け入れ状態においてベースコネクタ１７０の位置決め切り欠き部１７５（後述）に係合することによりソケットコネクタ１１０に対してベースコネクタ１７０を幅方向Ｄ３に位置決め可能である。
【００４６】
第２底基部１２１ｂにおける外し方向Ｄ１２の端部には、上方向Ｄ２２に突出する基板係合部１３６と、幅方向Ｄ３の外側に突出する解除押圧部１３８と、が設けられる。基板係合部１３６は、受け入れ状態においてベースコネクタ１７０に固定される回路基板１７８に係合し、受け入れ状態を保持する。
【００４７】
解除押圧部１３８は、基板係合部１３６が回路基板１７８をロック（係合）した状態を解除するために第２底基部１２１ｂを指などで押す際の押しやすさを向上させるために設けられている。解除押圧部１３８を押圧して第２底基部１２１ｂが撓むと、元の状態に戻るように回動する付勢力が生じる。図１１に示すように、解除押圧部１３８は、受け入れ状態において、ソケットコネクタ１１０の厚み方向Ｄ２に視てベースコネクタ１７０及びベースコネクタ１７０が固定された回路基板１７８に重ならない位置に設けられる。第２実施形態においては、解除押圧部１３８は、ベースコネクタ１７０及び回路基板１７８よりも奥行き方向Ｄ１及び幅方向Ｄ３の外側の位置に配置される。
【００４８】
ソケット側コンタクト１６０は、例えば、導電性の金属板に打ち抜き加工、プレス成形加工などが施されて、所定形状の一体物として構成される。ソケット側コンタクト１６０は、先端接触部１６１を備える。先端接触部１６１は、厚み方向Ｄ２に一対設けられており、受け入れ状態において、ベースコネクタ１７０のベース側コンタクト１９０に機械的に且つ電気的に接続される。
【００４９】
次に、第２実施形態のソケットコネクタ１１０と組み合わされて使用される、回路基板１７８に固定されたベースコネクタ１７０について、図８を参照しながら説明する。図２に示すように、ベースコネクタ１７０は、回路基板１７８に固定されるコネクタである。ベースコネクタ１７０は、合成樹脂からなるベースハウジング１８０と、金属製のベース側コンタクト１９０と、位置決め切り欠き部１７５とを備える。
【００５０】
回路基板１７８は、その実装面１７８ａに厚み方向Ｄ２に刳り抜かれたコネクタ設置部１７８ｂを有する。ベースコネクタ１７０は、コネクタ設置部１７８ｂに配置されており、そのため、ベースコネクタ１７０が回路基板１７８に固定（実装）された状態において、回路基板１７８及びベースコネクタ１７０の全体としての低背化が実現されている。
【００５１】
ベースハウジング１８０は、ベース側コンタクト１９０を配置するコンタクト配置部１８１を備える。
ベース側コンタクト１９０は、ベースハウジング１８０のコンタクト配置部１８１に、受け入れ方向Ｄ１１の側に露出して配置される。
【００５２】
ソケット側コンタクト１６０とベース側コンタクト１９０とは、ソケットコネクタ１１０の厚み方向Ｄ２に一方が他方を挟み込む形状を有する。第２実施形態においては、ソケット側コンタクト１６０は、ベース側コンタクト１９０をソケットコネクタ１１０の厚み方向Ｄ２に挟み込む形状を有する。そのため、ベース側コンタクト１９０は、受け入れ状態においてソケットコネクタ１１０のソケット側コンタクト１６０と機械的に且つ電気的に接続される。
【００５３】
位置決め切り欠き部１７５は、ソケットコネクタ１１０の位置決め突部１３４に対応して切り欠かれている。受け入れ状態において、位置決め切り欠き部１７５は、位置決め突部１３４に係合する。
【００５４】
前述の構成を有するソケットコネクタ１１０とベースコネクタ１７０とは、図９〜図１２に示すように組み合わされ、ソケット−ベースコネクタ対が形成される。
図９に示すように、ソケットコネクタ１１０のソケット側コンタクト１６０とベースコネクタ１７０のベース側コンタクト１９０とを対向させる。また、ソケットコネクタ１１０の位置決め突部１３４とベースコネクタ１７０の位置決め切り欠き部１７５とを対向させる。
【００５５】
図１０〜図１２に示すように、ソケットコネクタ１１０とベースコネクタ１７０とを奥行き方向Ｄ１に相対的に接近させる。そして、ソケット側コンタクト１６０とベース側コンタクト１９０とは、機械的に且つ電気的に接続される。また、基板係合部１３６は、回路基板１７８の外し方向Ｄ１２の側の端縁部に係合する。ソケットコネクタ１１０の位置決め突部１３４は、ベースコネクタ１７０の位置決め切り欠き部１７５に位置する。
【００５６】
その結果、ソケットコネクタ１１０とベースコネクタ１７０とが機械的に且つ電気的に接続された状態は保持される。ここで、ベースコネクタ１７０及び回路基板１７８は、ソケットコネクタ１１０の側壁当たり逃げ部１３２を介して、両側壁１３０それぞれから幅方向Ｄ３の外側に配置される。また、位置決め突部１３４は、位置決め切り欠き部１７５に係合することによりソケットコネクタ１１０に対してベースコネクタ１７０を幅方向Ｄ３に位置決めしている。
【００５７】
第２実施形態によれば、第１実施形態と同様の効果が奏される。また、第２実施形態は、受け入れ状態において、ベースコネクタ１７０に係合し、受け入れ状態を保持する基板係合部１３６を備える。そのため、第２実施形態によれば、受け入れ状態において、ソケットコネクタ１１０とベースコネクタ１７０とは、強固に保持される。
【００５８】
〔第３実施形態〕
次に、本発明のソケットコネクタの第３実施形態について、図面を参照しながら説明する。図１３は、本発明の第３実施形態のソケットコネクタ２１０を示す斜視図である。図１４は、第３実施形態における回路基板２７８に固定されたベースコネクタ２７０を示す斜視図である。図１５は、第３実施形態においてベースコネクタ２７０をソケットコネクタ２１０に挿入する過程を示す斜視図である。図１６は、図１５に示す状態から挿入が進んだ状態を示す斜視図である。図１７は、第３実施形態においてベースコネクタ２７０がソケットコネクタ２１０に受け入れられた状態を示す斜視図である。図１８は、図１７についてＣ−Ｃ線で切断した縦断面図である。
【００５９】
図１３に示すように、第３実施形態のソケットコネクタ２１０は、ソケットハウジング２２０と、ソケット側コンタクト２６０とを主体として構成される。図１４〜図１８に示すように、第３実施形態のソケットコネクタ２１０は、回路基板２７８に固定されたベースコネクタ２７０を受け入れ可能であり、ベースコネクタ２７０と組み合わせされて使用される。
【００６０】
第３実施形態のソケットコネクタ２１０の構成について、図１３を参照しながら説明する。
図１３に示すように、第３実施形態のソケットコネクタ２１０は、合成樹脂からなるソケットハウジング２２０と、金属製のソケット側コンタクト２６０とを備える。
ソケットハウジング２２０は、底基部２２１と、コンタクト収容部２２２と、上壁部２２４と、側壁２３０と、位置決め突部２３４と、を備える。
【００６１】
底基部２２１は、ソケットハウジング２２０の底部を形成する部位であり、第１底基部２２１ａと第２底基部２２１ｂと第３底基部２２１ｃとを有する。第２底基部２２１ｂは、厚み方向Ｄ２に視て、略「コ」の字形状を有しており、第１底基部２２１ａにおける幅方向Ｄ３の両側及び外し方向Ｄ１２の側を包囲している。第３底基部２２１ｃは、第１底基部２２１ａ及び第２底基部２２１ｂに対して厚み方向Ｄ２に並列しており、厚み方向Ｄ２に視て第１底基部２２１ａ及び第２底基部２２１ｂよりも外側まで拡がっている。第３底基部２２１ｃにおける上面（第２底基部２２１ｂと対向する面）には、撓み規制部２４４が設けられている。撓み規制部２４４は、第２底基部２２１ｂが撓んだときに第２底基部２２１ｂ（基板係合部２３６、解除押圧部２３８）が突き当たることにより、第２底基部２２１ｂの過剰な撓みを規制するために設けられている。
【００６２】
コンタクト収容部２２２は、その内部にソケット側コンタクト２６０を収容する部位である。コンタクト収容部２２２における外し方向Ｄ１２の側の面には、コンタクト窓部２２３（図１８参照）が設けられている。コンタクト窓部２２３を介して、コンタクト収容部２２２に収容されているソケット側コンタクト２６０の先端接触部２６１（後述）は、外部へ露出する。上壁部２２４は、コンタクト収容部２２２の上部を形成する。
【００６３】
側壁２３０は、ソケットハウジング２２０の側部を形成するもので、幅方向Ｄ３に一対設けられている。一対の側壁２３０は、受け入れ状態においてベースコネクタ２７０の当たりを逃がす側壁当たり逃げ部２３２を、一対有している。
側壁当たり逃げ部２３２は、底基部２２１と上壁部２２４との間に設けられる。底基部２２１と上壁部２２４との間は、外し方向Ｄ１２において開放している。つまり、コンタクト収容部２２２よりも外し方向Ｄ１２も側であって底基部２２１と上壁部２２４との間は、幅方向Ｄ３の両側（側壁当たり逃げ部２３２）及び外し方向Ｄ１２に亘って、開放している。
そのため、側壁当たり逃げ部２３２は、後述するように、ベースコネクタ２７０が一対の側壁当たり逃げ部２３２それぞれを介して、一対の側壁２３０それぞれの外側に配置された状態で、ベースコネクタ２７０がソケットコネクタ２１０に受け入れ可能に設けられている。
【００６４】
図１３に示すように、位置決め突部２３４は、コンタクト収容部２２２よりも外し方向Ｄ１２側であって上壁部２２４の下部に設けられている。位置決め突部２３４は、下方向Ｄ２１に突出している。位置決め突部２３４は、受け入れ状態においてベースコネクタ２７０の位置決め切り欠き部２７５（後述）に係合することによりソケットコネクタ２１０に対してベースコネクタ２７０を幅方向Ｄ３に位置決め可能である。
【００６５】
第２底基部２２１ｂにおける外し方向Ｄ１２の端部には、上方向Ｄ２２に突出する基板係合部２３６と、幅方向Ｄ３の外側に突出する解除押圧部２３８と、が設けられる。基板係合部２３６は、受け入れ状態においてベースコネクタ２７０に固定される回路基板２７８に係合し、受け入れ状態を保持する。
【００６６】
解除押圧部２３８は、基板係合部２３６が回路基板２７８をロック（係合）した状態を解除するために第２底基部２２１ｂを指などで押す際の押しやすさを向上させるために設けられている。解除押圧部２３８を押圧して第２底基部２２１ｂが撓むと、元の状態に戻るように回動する付勢力が生じる。図１７に示すように、解除押圧部２３８は、受け入れ状態において、ソケットコネクタ２１０の厚み方向Ｄ２に視てベースコネクタ２７０及びベースコネクタ２７０が固定された回路基板２７８に重ならない位置に設けられる。第３実施形態においては、解除押圧部２３８は、ベースコネクタ２７０及び回路基板２７８よりも外し方向Ｄ１２の外側の位置に配置される。
【００６７】
ソケット側コンタクト２６０は、例えば、導電性の金属板に打ち抜き加工、プレス成形加工などが施されて、所定形状の一体物として構成される。ソケット側コンタクト２６０は、先端接触部２６１を備える。先端接触部２６１は、厚み方向Ｄ２に一対設けられており、受け入れ状態において、ベースコネクタ２７０のベース側コンタクト２９０に機械的に且つ電気的に接続される。
【００６８】
次に、第３実施形態のソケットコネクタ２１０と組み合わされて使用される、回路基板２７８に固定されたベースコネクタ２７０について、図１４を参照しながら説明する。図１４に示すように、ベースコネクタ２７０は、回路基板２７８に固定されるコネクタである。ベースコネクタ２７０は、合成樹脂からなるベースハウジング２８０と、金属製のベース側コンタクト２９０と、位置決め切り欠き部２７５とを備える。
【００６９】
回路基板２７８は、その実装面２７８ａに厚み方向Ｄ２に刳り抜かれたコネクタ設置部２７８ｂを有する。ベースコネクタ２７０は、コネクタ設置部２７８ｂに配置されており、そのため、ベースコネクタ２７０が回路基板２７８に固定（実装）された状態において、回路基板２７８及びベースコネクタ２７０の全体としての低背化が実現されている。
【００７０】
ベースハウジング２８０は、ベース側コンタクト２９０を配置するコンタクト配置部２８１を備える。
ベース側コンタクト２９０は、ベースハウジング２８０のコンタクト配置部２８１に、受け入れ方向Ｄ１１の側に露出して配置される。
【００７１】
ソケット側コンタクト２６０とベース側コンタクト２９０とは、ソケットコネクタ２１０の厚み方向Ｄ２に一方が他方を挟み込む形状を有する。第３実施形態においては、ソケット側コンタクト２６０は、ベース側コンタクト２９０をソケットコネクタ２１０の厚み方向Ｄ２に挟み込む形状を有する。そのため、ベース側コンタクト２９０は、受け入れ状態においてソケットコネクタ２１０のソケット側コンタクト２６０と機械的に且つ電気的に接続される。
【００７２】
位置決め切り欠き部２７５は、ソケットコネクタ２１０の位置決め突部２３４に対応して切り欠かれている。受け入れ状態において、位置決め切り欠き部２７５は、位置決め突部２３４に係合する。
【００７３】
前述の構成を有するソケットコネクタ２１０とベースコネクタ２７０とは、図１５〜図１８に示すように組み合わされ、ソケット−ベースコネクタ対が形成される。
図１５に示すように、ソケットコネクタ２１０のソケット側コンタクト２６０とベースコネクタ２７０のベース側コンタクト２９０とを対向させる。また、ソケットコネクタ２１０の位置決め突部２３４とベースコネクタ２７０の位置決め切り欠き部２７５とを対向させる。
【００７４】
図１６〜図１８に示すように、ソケットコネクタ２１０とベースコネクタ２７０とを奥行き方向Ｄ１に相対的に接近させる。そして、ソケット側コンタクト２６０とベース側コンタクト２９０とは、機械的に且つ電気的に接続される。また、基板係合部２３６は、回路基板２７８の外し方向Ｄ１２の側の端縁部に係合する。ソケットコネクタ２１０の位置決め突部２３４は、ベースコネクタ２７０の位置決め切り欠き部２７５に位置する。なお、第２底基部２２１ｂが撓んだときに第２底基部２２１ｂ（基板係合部２３６、解除押圧部２３８）が撓み規制部２４４に突き当たることにより、第２底基部２２１ｂの過剰な撓みは規制される。
【００７５】
その結果、ソケットコネクタ２１０とベースコネクタ２７０とが機械的に且つ電気的に接続された状態は保持される。ここで、ベースコネクタ２７０及び回路基板２７８は、ソケットコネクタ２１０の側壁当たり逃げ部２３２を介して、両側壁２３０それぞれから幅方向Ｄ３の外側に配置される。また、位置決め突部２３４は、位置決め切り欠き部２７５に係合することによりソケットコネクタ２１０に対してベースコネクタ２７０を幅方向Ｄ３に位置決めしている。
第３実施形態によれば、第２実施形態と同様の効果が奏される。
【００７６】
〔第４実施形態〕
次に、本発明のソケットコネクタの第４実施形態について、図面を参照しながら説明する。図１９は、本発明の第４実施形態のソケットコネクタ３１０を示す斜視図である。図２０は、第４実施形態におけるベースコネクタ３７０を示す斜視図である。図２１は、第４実施形態において、ベースハウジング３８０を仮想的に除いた状態のベースコネクタ３７０を、ソケットコネクタ３１０に挿入する過程を示す斜視図である。図２２は、図２１に示す状態から挿入が進んだ状態を示す斜視図である。図２３は、第４実施形態において、ベースハウジング３８０を仮想的に除いた状態のベースコネクタ３７０が、ソケットコネクタ３１０に受け入れられた状態を示す斜視図である。図２４は、図２３についてＤ−Ｄ線で切断した縦断面図である。
【００７７】
図１９に示すように、第４実施形態のソケットコネクタ３１０は、ソケットハウジング３２０と、ソケット側コンタクト３６０とを主体として構成される。図２０〜図２４に示すように、第４実施形態のソケットコネクタ３１０は、回路基板３７８に固定されたベースコネクタ３７０を２組受け入れ可能であり、２組のベースコネクタ３７０と組み合わせされて使用される。
【００７８】
第４実施形態のソケットコネクタ３１０の構成について、図１９を参照しながら説明する。
図１９に示すように、第４実施形態のソケットコネクタ３１０は、合成樹脂からなるソケットハウジング３２０と、金属製のソケット側コンタクト３６０とを備える。
ソケットハウジング３２０は、底基部３２１と、コンタクト収容部３２２と、上壁部３２４と、側壁３３０と、位置決め突部３３４と、を備える。
【００７９】
底基部３２１は、ソケットハウジング３２０の底部を形成する部位であり、第１底基部３２１ａと第２底基部３２１ｂと第３底基部３２１ｃとを有する。第１底基部３２１ａは、厚み方向Ｄ２に視て、略「コ」の字形状を有しており、第２底基部３２１ｂにおける幅方向Ｄ３の両側及び外し方向Ｄ１２の側を包囲している。第３底基部３２１ｃは、第１底基部３２１ａ及び第２底基部３２１ｂに対して厚み方向Ｄ２に並列しており、厚み方向Ｄ２に視て第１底基部３２１ａ及び第２底基部３２１ｂよりも外側まで拡がっている。
【００８０】
コンタクト収容部３２２は、その内部にソケット側コンタクト３６０を収容する部位である。コンタクト収容部３２２における外し方向Ｄ１２の側の面には、コンタクト窓部３２３（図２４参照）が設けられている。コンタクト窓部３２３を介して、コンタクト収容部３２２に収容されているソケット側コンタクト３６０の先端接触部３６１（後述）は、外部へ露出する。上壁部３２４は、コンタクト収容部３２２の上部を形成する。
【００８１】
側壁３３０は、ソケットハウジング３２０の側部を形成するもので、幅方向Ｄ３に一対設けられている。一対の側壁３３０は、受け入れ状態においてベースコネクタ３７０の当たりを逃がす側壁当たり逃げ部３３２を、一対有している。
側壁当たり逃げ部３３２は、底基部３２１と上壁部３２４との間に設けられる。底基部３２１と上壁部３２４との間は、外し方向Ｄ１２において開放している。つまり、コンタクト収容部３２２よりも外し方向Ｄ１２も側であって底基部３２１と上壁部３２４との間は、幅方向Ｄ３の両側（側壁当たり逃げ部３３２）及び外し方向Ｄ１２に亘って、開放している。
そのため、側壁当たり逃げ部３３２は、後述するように、ベースコネクタ３７０が一対の側壁当たり逃げ部３３２それぞれを介して、一対の側壁３３０それぞれの外側に配置された状態で、ベースコネクタ３７０がソケットコネクタ３１０に受け入れ可能に設けられている。
【００８２】
図１９に示すように、位置決め突部３３４は、コンタクト収容部３２２よりも外し方向Ｄ１２側であって上壁部３２４の下部に設けられている。位置決め突部３３４は、下方向Ｄ２１に突出している。位置決め突部３３４は、受け入れ状態においてベースコネクタ３７０の位置決め切り欠き部３７５（後述）に係合することによりソケットコネクタ３１０に対してベースコネクタ３７０を幅方向Ｄ３に位置決め可能である。
【００８３】
第２底基部３２１ｂにおける外し方向Ｄ１２の端部には、上方向Ｄ２２に突出する基板係合部３３６と、外し方向Ｄ１２の外側に突出する解除押圧部３３８と、が設けられる。基板係合部３３６は、受け入れ状態においてベースコネクタ３７０に固定される回路基板３７８に係合し、受け入れ状態を保持する。
【００８４】
解除押圧部３３８は、基板係合部３３６が回路基板３７８をロック（係合）した状態を解除するために第２底基部３２１ｂを指などで押す際の押しやすさを向上させるために設けられている。解除押圧部３３８を押圧して第２底基部３２１ｂが撓むと、元の状態に戻るように回動する付勢力が生じる。解除押圧部３３８は、受け入れ状態において、ソケットコネクタ３１０の厚み方向Ｄ２に視てベースコネクタ３７０及びベースコネクタ３７０が固定された回路基板３７８に重ならない位置に設けられる。第４実施形態においては、解除押圧部３３８は、ベースコネクタ３７０及び回路基板３７８よりも外し方向Ｄ１２の外側の位置に配置される。
【００８５】
ソケット側コンタクト３６０は、例えば、導電性の金属板に打ち抜き加工、プレス成形加工などが施されて、所定形状の一体物として構成される。ソケット側コンタクト３６０は、先端接触部３６１を備える。先端接触部３６１は、受け入れ状態において、ベースコネクタ３７０のベース側コンタクト３９０に機械的に且つ電気的に接続される。
【００８６】
次に、第４実施形態のソケットコネクタ３１０と組み合わされて使用される、回路基板３７８に固定されたベースコネクタ３７０について、図２０〜図２１を参照しながら説明する。なお、図２１〜図２４においてベースハウジング３８０の図示を仮想的に省略している。
図２０〜図２１に示すように、ベースコネクタ３７０は、回路基板３７８に固定されるコネクタである。ベースコネクタ３７０は、合成樹脂からなるベースハウジング３８０と、金属製のベース側コンタクト３９０と、位置決め切り欠き部３７５とを備える。
【００８７】
ベースハウジング３８０は、ベース側コンタクト３９０を収納するコンタクト収納部３８１を備える。
ベース側コンタクト３９０は、ベースハウジング３８０のコンタクト収納部３８１に、受け入れ方向Ｄ１１の側に露出して配置される。ベース側コンタクト３９０は、例えば、導電性の金属板に打ち抜き加工、プレス成形加工などが施されて、所定形状の一体物として構成される。ベース側コンタクト３９０は、先端接触部３９１を備える。先端接触部３９１は、厚み方向Ｄ２に一対設けられており、受け入れ状態において、ソケットコネクタ３１０のソケット側コンタクト３６０に機械的に且つ電気的に接続される。
【００８８】
ソケット側コンタクト３６０とベース側コンタクト３９０とは、ソケットコネクタ３１０の厚み方向Ｄ２に一方が他方を挟み込む形状を有する。第４実施形態においては、ベース側コンタクト３９０は、ソケット側コンタクト３６０をソケットコネクタ３１０の厚み方向Ｄ２に挟み込む形状を有する。そのため、ベース側コンタクト３９０は、受け入れ状態においてソケットコネクタ３１０のソケット側コンタクト３６０と機械的に且つ電気的に接続される。
【００８９】
位置決め切り欠き部３７５は、ソケットコネクタ３１０の位置決め突部３３４に対応して切り欠かれている。受け入れ状態において、位置決め切り欠き部３７５は、位置決め突部３３４に係合する。
【００９０】
前述の構成を有するソケットコネクタ３１０とベースコネクタ３７０とは、図２１〜図２４に示すように組み合わされ、ソケット−ベースコネクタ対が形成される。
図２１に示すように、ソケットコネクタ３１０のソケット側コンタクト３６０とベースコネクタ３７０のベース側コンタクト３９０とを対向させる。また、ソケットコネクタ３１０の位置決め突部３３４とベースコネクタ３７０の位置決め切り欠き部３７５とを対向させる。図２２〜図２４に示すように、ソケットコネクタ３１０とベースコネクタ３７０とを奥行き方向Ｄ１に相対的に接近させる。そして、ソケット側コンタクト３６０とベース側コンタクト３９０とは、機械的に且つ電気的に接続される。また、基板係合部３３６は、回路基板３７８の外し方向Ｄ１２の側の端縁部に係合する。ソケットコネクタ３１０の位置決め突部３３４は、ベースコネクタ３７０の位置決め切り欠き部３７５に位置する。
【００９１】
その結果、ソケットコネクタ３１０とベースコネクタ３７０とが機械的に且つ電気的に接続された状態は保持される。ここで、ベースコネクタ３７０及び回路基板３７８は、ソケットコネクタ３１０の側壁当たり逃げ部３３２を介して、両側壁３３０それぞれから幅方向Ｄ３の外側に配置される。また、位置決め突部３３４は、位置決め切り欠き部３７５に係合することによりソケットコネクタ３１０に対してベースコネクタ３７０を幅方向Ｄ３に位置決めしている。
第４実施形態によれば、前記各実施形態と同様の効果が奏される。
【００９２】
以上、本発明のソケットコネクタの実施形態について説明したが、本発明は前述した実施形態に制限されるものではなく、適宜変更が可能である。
例えば、側壁当たり逃げ部３２，１３２，２３２，３３２は、一方の側壁３０，１３０，２３０，３３０のみに設けられていてもよい。
【符号の説明】
【００９３】
１０、１１０、２１０、３１０  ソケットコネクタ
２０、１２０、２２０、３２０  ソケットハウジング
３０、１３０、２３０、３３０  側壁
３２、１３２、２３２、３３２  側壁当たり逃げ部
３４、１３４、２３４、３３４  位置決め突部
３６、１３６、２３６、３３６  基板係合部
３８、１３８、２３８、３３８  解除押圧部
６０、１６０、２６０、３６０  ソケット側コンタクト
７０、１７０、２７０、３７０  ベースコネクタ
７５、１７５、２７５、３７５  位置決め切り欠き部
７８、１７８、２７８、３７８  回路基板
８０、１８０、２８０、３８０  ベースハウジング
９０、１９０、２９０、３９０  ベース側コンタクト
Ｄ１  奥行き方向
Ｄ１１  受け入れ方向
Ｄ１２  外し方向
Ｄ２  厚み方向
Ｄ３  幅方向
【図１】
2014207210.tif 000003
【図２】
2014207210.tif 000004
【図３】
2014207210.tif 000005
【図４】
2014207210.tif 000006
【図５】
2014207210.tif 000007
【図６】
2014207210.tif 000008
【図７】
2014207210.tif 000009
【図８】
2014207210.tif 000010
【図９】
2014207210.tif 000011
【図１０】
2014207210.tif 000012
【図１１】
2014207210.tif 000013
【図１２】
2014207210.tif 000014
【図１３】
2014207210.tif 000015
【図１４】
2014207210.tif 000016
【図１５】
2014207210.tif 000017
【図１６】
2014207210.tif 000018
【図１７】
2014207210.tif 000019
【図１８】
2014207210.tif 000020
【図１９】
2014207210.tif 000021
【図２０】
2014207210.tif 000022
【図２１】
2014207210.tif 000023
【図２２】
2014207210.tif 000024
【図２３】
2014207210.tif 000025
【図２４】
2014207210.tif 000026